(57)【要約】【課題】モニタ付親機にて計時される時刻をインターネット経由で自動的に補正し、カメラ付玄関子機にて撮像され当該モニタ付親機に保存される画像の録画日時を常に正確に保つ。【解決手段】モニタ付親機２の時計１４にて計時される時刻をＮＴＰサーバ６からインターネット３経由でＬＡＮ４またはモデム１３を使用して取得し自動的に補正することができる。また、カメラ付玄関子機１にて撮像された画像はモニタ付親機の画像記憶領域１５に保存され、この画像記憶領域には、撮像された画像とともに時計より取得した録画日時も保存することができ、保存された画像およびその画像の録画日時は、ＬＡＮまたはモデムからインターネット経由でセンターサーバ７へと転送して保存することができるばかりでなく、再生ボタン１７を操作することによりモニタ１８に表示できる。【選択図】  図１
2004260390.tif 000002
【特許請求の範囲】
【請求項１】
来訪者がカメラ付玄関子機（１）から呼び出しを行ったとき、前記カメラ付玄関子機にて撮像された画像をモニタ親機（２）のモニタ（１８）に表示するテレビドアホン装置であって、
前記モニタ親機は、インターネット（３）に接続され、原子時計の時刻を送信するＮＴＰサーバ（６）から、ＬＡＮ（４）またはインターネット接続機能を有するモデム（１３）を使用して、前記インターネット経由で時刻を取得して、前記取得した時刻を設定するための時計（１４）と、前記来訪者が前記カメラ付玄関子機から呼び出しを行ったとき、前記カメラ付玄関子機にて撮像された画像および前記時計からの録画日時を保存するための画像記憶領域（１５）と、ユーザにより操作され、前記画像記憶領域に保存されている画像およびその画像の録画日時を前記モニタに表示するための再生ボタン（１７）とを備え、
携帯端末（８）からの画像再生要求に応じて、前記ＬＡＮまたは前記モデムから前記インターネット経由で前記画像記憶領域に保存されている前記画像およびその画像の録画日時が転送され前記携帯端末へと画像を転送するためのセンターサーバ（７）を設けたことを特徴とするテレビドアホン装置。
【請求項２】
前記モニタ親機は、前記ＬＡＮと接続されているときには点滅し、前記センターサーバと接続されているときには点灯するための接続ＬＥＤ（１９）を備えたことを特徴とする請求項１記載のテレビドアホン装置。
【請求項３】
前記モニタ親機は、前記センターサーバとの間で通信エラーが発生したときに点灯することで前記ユーザに通知するためのエラーＬＥＤ（２０）を備えたことを特徴とする請求項１記載のテレビドアホン装置。
【請求項４】
前記モニタ親機は、前記センターサーバとの間で通信エラーが発生したときに前記通信エラーの理由を保存するためのログ記憶領域（２１）を備え、前記ログ記憶領域のログを前記モニタに表示することを特徴とする請求項１記載のテレビドアホン装置。
【請求項５】
前記モニタ親機は、前記モデムから画像を転送するときには、前記ＬＡＮから画像を転送するときよりも画像の圧縮率を高くして転送するものであることを特徴とする請求項１記載のテレビドアホン装置。
【請求項６】
前記モニタ親機は、前記センターサーバとの間が通信中であることを点滅表示することで前記ユーザに通知するための転送ＬＥＤ（２２）を備えたことを特徴とする請求項１記載のテレビドアホン装置。
【発明の詳細な説明】
【０００１】
【発明の属する技術分野】
本発明はテレビドアホン装置に係り、特に、インターネット接続機能を有するテレビドアホン装置に関する。
【０００２】
【従来の技術】
従来から、この種のテレビドアホン装置として、音声と映像とにより来訪者との応対を行う多重表示型テレビドアホンが提案／開示されている（例えば、特許文献１参照）。
【０００３】
従来例の多重表示型テレビドアホンでは、ドアホンから呼出操作を受けた場合、住宅情報盤のタイマーユニットからキー入力インターフェース回路を介してＣＰＵに入力されている時刻データをもとに、呼出操作を受けた現在時刻を表示・操作部に表示していた。
【０００４】
【特許文献１】特公平６−８１１９７号公報（発明の開示）
【発明が解決しようとする課題】
しかしながら、従来例の多重表示型テレビドアホンでは、住宅情報盤のＣＰＵに入力される時刻データがタイマーユニットからキー入力インターフェース回路を介して手動で行われることにより、時刻データの補正を怠ると間違った時刻データが呼出操作を受けた現在時刻として表示・操作部に表示されてしまい混乱を招く虞があった。
【０００５】
本発明は、上述の難点を解消するためになされたもので、モニタ付親機にて計時される時刻をインターネット経由で自動的に補正し、カメラ付玄関子機にて撮像され当該モニタ付親機に保存される画像の録画日時を常に正確に保つとともに、モニタ付親機とインターネット経由で接続される各種サーバとの間の接続状態および通信状態を容易に確認することができるテレビドアホン装置を提供することを目的としている。
【０００６】
【課題を解決するための手段】
上述の目的を達成するため、本発明のテレビドアホン装置は、来訪者がカメラ付玄関子機から呼び出しを行ったとき、カメラ付玄関子機にて撮像された画像をモニタ親機のモニタに表示するテレビドアホン装置である。モニタ親機は、インターネットに接続され、原子時計の時刻を送信するＮＴＰサーバから、ＬＡＮまたはインターネット接続機能を有するモデムを使用して、インターネット経由で時刻を取得して、取得した時刻を設定するための時計と、来訪者がカメラ付玄関子機から呼び出しを行ったとき、カメラ付玄関子機にて撮像された画像および時計からの録画日時を保存するための画像記憶領域と、ユーザにより操作され、画像記憶領域に保存されている画像およびその画像の録画日時をモニタに表示するための再生ボタンとを備えている。携帯端末からの画像再生要求に応じて、ＬＡＮまたはモデムからインターネット経由で画像記憶領域に保存されている画像およびその画像の録画日時が転送され携帯端末へと画像を転送するためのセンターサーバを設けたものである。
【０００７】
このようなテレビドアホン装置によれば、モニタ付親機の時計にて計時される時刻をＮＴＰサーバからインターネット経由でＬＡＮまたはモデムを使用して取得し自動的に補正することができる。また、カメラ付玄関子機にて撮像された画像はモニタ付親機の画像記憶領域に保存され、この画像記憶領域には、撮像された画像とともに時計より取得した録画日時も保存することができ、保存された画像およびその画像の録画日時は、ＬＡＮまたはモデムからインターネット経由でセンターサーバへと転送して保存することができるばかりでなく、再生ボタンを操作することによりモニタに表示できる。さらに、センターサーバに保存された画像およびその画像の録画日時は、携帯端末からの画像再生要求に応じて、センターサーバからインターネットを介して当該携帯端末へと転送することができる。
【０００８】
また、本発明のテレビドアホン装置において、モニタ親機は、ＬＡＮが接続されているときに点滅し、センターサーバが接続されているときには点灯するための接続ＬＥＤを備えている。
【０００９】
このようなテレビドアホン装置によれば、モニタ付親機とＬＡＮとが接続されている状態、モニタ付親機とＬＡＮまたはモデムからインターネット経由でセンターサーバとが接続されている状態を、モニタ付親機の接続ＬＥＤの表示形態の相違である点滅／点灯をもとにそれぞれユーザーに通知することができる。
【００１０】
また、本発明のテレビドアホン装置において、モニタ親機は、センターサーバとの間で通信エラーが発生したときに点灯することでユーザに通知するためのエラーＬＥＤを備えている。
【００１１】
このようなテレビドアホン装置によれば、モニタ付親機とＬＡＮまたはモデムからインターネット経由でセンターサーバとが接続されている状態で通信エラーが発生している状態を、モニタ付親機のエラーＬＥＤを点灯させてユーザーに通知することができる。
【００１２】
また、本発明のテレビドアホン装置において、モニタ親機は、センターサーバとの間で通信エラーが発生したときに通信エラーの理由を保存するためのログ記憶領域を備え、ログ記憶領域のログをモニタに表示するものである。
【００１３】
このようなテレビドアホン装置によれば、モニタ付親機とＬＡＮまたはモデムからインターネット経由でセンターサーバとが接続されている状態で発生している通信エラーの理由を、モニタ付親機のログ記憶領域に保存することができるばかりでなく、ログ記憶領域のログをモニタに表示してユーザーに通知することができる。
【００１４】
また、本発明のテレビドアホン装置において、モニタ親機は、モデムから画像を転送するときには、ＬＡＮから画像を転送するときよりも画像の圧縮率を高くして転送するものである。
【００１５】
このようなテレビドアホン装置によれば、モニタ付親機からインターネット経由でセンターサーバへと転送される画像およびその画像の録画日時を、圧縮率の低いデータを高速で転送可能なＬＡＮ、または低速であるために圧縮率の高いデータしか転送できないが、安定した通信が可能なモデムの異なるデータ伝送路を介して転送することができる。
【００１６】
また、本発明のテレビドアホン装置において、モニタ親機は、センターサーバとの間が通信中であることを点滅表示することでユーザに通知するための転送ＬＥＤを備えている。
【００１７】
このようなテレビドアホン装置によれば、モニタ付親機とＬＡＮまたはモデムからインターネット経由でセンターサーバとが接続されている状態で通信中であることを、モニタ付親機の転送ＬＥＤを点滅させてユーザーに通知することができる。
【００１８】
【発明の実施の形態】
以下、本発明のテレビドアホン装置を適用した好ましい形態の実施例について、図面を参照して説明する。
【００１９】
図１は、本発明の実施例によるテレビドアホン装置の構成を示すブロック図である。
【００２０】
図１のブロック図に示すテレビドアホン装置は、玄関に設置され、来訪者が住戸内に在室中の居住者（以下、ユーザーに同意とする。）を呼び出すための機能および呼出操作を行った来訪者を含む玄関の画像を撮像するための機能を有するカメラ付玄関子機１と、住戸内に設置され、子機ラインＬ１を介して接続されたカメラ付玄関子機１からの呼び出しを報知するための機能および当該カメラ付玄関子機にて撮像された画像等を表示／保存（録画）するための機能とともにインターネット接続機能を有するモニタ付親機２と、インターネット３と、モニタ付親機２の後述するＬＡＮ接続部１２へと無線接続またはケーブルを介して有線接続されるＬＡＮ（Ｌｏｃａｌ  Ａｒｅａ  Ｎｅｔｗｏｒｋ）４と、電話回線網Ｌ２を介して接続されるインターネット３とＬＡＮ４との間のデータ伝送路を形成するためのインターネット接続機能を有するルータ５と、インターネット３へと接続され、原子時計の時刻を送信するためのＮＴＰ（Ｎｅｔｗｏｒｋ  Ｔｉｍｅ  Ｐｒｏｔｏｃｏｌ）サーバ６と、インターネット３へと接続され、モニタ付親機２に保存された画像等を保存するための機能とともにインターネット３を介して後述する携帯端末８へのデータ転送機能を有するセンターサーバ７と、例えば、住戸内を不在としている外出中の居住者により携帯され、最寄りの基地局（図示せず）から電話回線網を介してインターネット３へと接続されるインターネット接続機能を有しており、センターサーバ７に保存された画像等を表示するための機能を有する携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等からなる携帯端末８とで構成されている。
【００２１】
また、モニタ付親機２は、当該モニタ付親機の構成各部を制御するためのＣＰＵ（Ｃｅｎｔｒａｌ  Ｐｒｏｃｅｓｓｉｎｇ  Ｕｎｉｔ）１０と、子機ラインＬ１とＣＰＵ１０との間のデータ伝送路を形成するためのインターフェース（以下、Ｉ／Ｆという。）１１と、ＬＡＮ４、ルータ５、電話回線網Ｌ２を介して接続されるインターネット３とＣＰＵ１０との間のデータ伝送路を形成するための例えば、ＬＡＮボード、ＬＡＮカード等からなるＬＡＮ接続部１２と、電話回線網Ｌ２を介して接続されるインターネット３とＣＰＵ１０との間のデータ伝送路を形成するためのインターネット接続機能を有するモデム１３と、ＣＰＵ１０の制御によりＬＡＮ接続部１２、ＬＡＮ４、ルータ５、電話回線網Ｌ２、インターネット３を介してＮＴＰサーバ６から取得できる時刻、またはモデム１３、電話回線網Ｌ２、インターネット３を介してＮＴＰサーバ６から取得できる時刻を設定するための時計１４と、カメラ付玄関子機１にて撮像された画像および時計１４にて計時される当該画像の録画日時を保存するための画像記憶領域１５と、ユーザーである居住者が外出等で住戸内を不在とする前に当該モニタ付親機を外出モードに設定するために操作する外出ボタン１６と、外出等から帰宅したユーザーである住戸内に在室中の居住者が操作し、この操作を検出したＣＰＵ１０の制御により画像記憶領域１５に（予め）保存されていた画像およびその画像の録画日時を読み出して後述するモニタ１８に表示させるための再生ボタン１７と、カメラ付玄関子機１にて呼出操作が行われた際にはリアルタイムで撮像された来訪者の画像を含む玄関の画像を表示するとともに、再生ボタン１７の操作を検出したＣＰＵ１０の制御により画像記憶領域１５から読み出された画像およびその画像の録画日時等を表示するためのモニタ１８と、ＣＰＵ１０が接続されたＬＡＮ接続部１２にＬＡＮ４が接続されているときには点滅し、このＬＡＮ接続部１２にＬＡＮ４、ルータ５、電話回線網Ｌ２、インターネット３を介してセンターサーバ７が接続されているとき、またはＣＰＵ１０が接続されたモデム１３に電話回線網Ｌ２、インターネット３を介してセンターサーバ７が接続されているときには点灯し、上述のユーザーに通知するための接続ＬＥＤ１９と、接続ＬＥＤ１９の点灯時のようにＣＰＵ１０が接続されたＬＡＮ接続部１２とセンターサーバ７との間が接続されている状態で通信エラーが発生したとき、またはＣＰＵ１０が接続されたモデム１３とセンターサーバ７との間が接続されている状態で通信エラーが発生したときに点灯し、上述のユーザーに通知するためのエラーＬＥＤ２０と、エラーＬＥＤ２０が点灯するような通信エラーが発生したとき、その通信エラーの理由を保存するためのログ記憶領域２１と、接続ＬＥＤ１９の点灯時のようにＣＰＵ１０が接続されたＬＡＮ接続部１２とセンターサーバ７との間が接続されている状態でデータ通信が成立している通信中である旨、またはＣＰＵ１０が接続されたモデム１３とセンターサーバ７との間が接続されている状態でデータ通信が成立している通信中である旨を上述のユーザーに通知するために点滅する転送ＬＥＤ２２とを備えている。
【００２２】
このように構成された本発明の実施例によるテレビドアホン装置において、以下、具体的な動作について説明する。
【００２３】
図１のブロック図において、モニタ付親機２のＣＰＵ１０の制御によりＮＴＰサーバ６から原子時計の時刻を取得し、時計１４にて計時される時刻を正確な時刻として補正するためには、ＬＡＮ接続部１２にＬＡＮ４、ルータ５、電話回線網Ｌ２を介してインターネット３を接続し、ＣＰＵ１０とＮＴＰサーバ６との間のデータ伝送路（以下、第１のデータ伝送路という。）を形成する、またはモデム１３に電話回線網Ｌ２を介してインターネット３を接続し、ＣＰＵ１０とＮＴＰサーバ６との間のデータ伝送路（以下、第２のデータ伝送路という。）を形成する。
【００２４】
ここで、上述の第１のデータ伝送路または第２のデータ伝送路が形成されている状態において、モニタ付親機２のＣＰＵ１０は、ＮＴＰサーバ６から取得した原子時計の時刻を時計１４にて計時される正確な時刻として補正することができる。
【００２５】
次に、ユーザーである居住者が外出等で住戸内を不在とする前にモニタ付親機２の外出ボタン１６を操作し、この操作を検出したＣＰＵ１０の制御により当該モニタ付親機が外出モードに設定されている状態において、玄関に居る来訪者がカメラ付玄関子機１にて呼出操作を行うと、当該カメラ付玄関子機にて撮像された来訪者を含む玄関の画像からなる画像データが子機ラインＬ１、モニタ付親機２のＩ／Ｆ１１を介してＣＰＵ１０へと転送される。
【００２６】
また、モニタ付親機２のＣＰＵ１０は、カメラ付玄関子機１からの画像データを検出した時刻を時計１４より取得し、この画像データおよび当該画像データの録画日時を画像記憶領域１５へと保存するとともに、ＬＡＮ接続部１２にＬＡＮ４、ルータ５、電話回線網Ｌ２を介してインターネット３を接続し、ＣＰＵ１０とセンターサーバ７との間のデータ伝送路（以下、第３のデータ伝送路という。）を形成する、またはモデム１３に電話回線網Ｌ２を介してインターネット３を接続し、ＣＰＵ１０とセンターサーバ７との間のデータ伝送路（以下、第４のデータ伝送路という。）を形成する。
【００２７】
また、モニタ付親機２のＣＰＵ１０とＬＡＮ４とがＬＡＮ接続部１２を介して接続されている状態において、これを検出したＣＰＵ１０は、接続ＬＥＤ１９を点滅させてその旨の報知を行い上述のユーザーに通知する。
【００２８】
また、モニタ付親機２のＣＰＵ１０は、画像記憶領域１５に保存した画像データおよびその画像データの録画日時からなる画像情報データを所定の圧縮率で圧縮させた画像情報圧縮データを生成する。この画像情報圧縮データは、上述の第３のデータ伝送路または第４のデータ伝送路を介してセンターサーバ７へと転送され当該センターサーバに保存される。なお、ＣＰＵ１０にて生成される画像情報圧縮データの圧縮率として、上述の第４のデータ伝送路を介して携帯端末８へと転送される画像情報圧縮データの圧縮率を、上述の第３のデータ伝送路を介して携帯端末８へと転送される画像情報圧縮データの圧縮率と比較して高い圧縮率で圧縮することにより、データ通信のために費やされるモデム１３の使用時間が短縮されるため回線使用料が抑えられる。
【００２９】
また、上述の第３のデータ伝送路または第４のデータ伝送路が形成されている状態、すなわち、モニタ付親機２のＣＰＵ１０とセンターサーバ７とが接続されている状態において、これを検出したＣＰＵ１０は、接続ＬＥＤ１９を点灯させてその旨の報知を行い上述のユーザーに通知する。
【００３０】
さらに、モニタ付親機２のＣＰＵ１０から上述の第３のデータ伝送路または第４のデータ伝送路を介してセンターサーバ７へと画像情報圧縮データが正常に転送されている状態、すなわち、センターサーバ７との通信中であることを検出したＣＰＵ１０は、転送ＬＥＤ２２を点滅させて当該センターサーバへ他の要求ができない旨の報知を行い上述のユーザーに通知する。
【００３１】
一方、モニタ付親機２のＣＰＵ１０から上述の第３のデータ伝送路または第４のデータ伝送路を介してセンターサーバ７へと画像情報圧縮データが正常に転送されず通信エラーが発生した場合、これを検出したＣＰＵ１０は、エラーＬＥＤ２０を点滅させてその旨の報知を行うとともに、通信エラーの理由をログ記憶領域２１へと保存し、併せてログ記憶領域２１のログをモニタ１８に表示して上述のユーザーに通知する。
【００３２】
次に、外出等で住戸内を不在としていた居住者が帰宅時においてモニタ付親機２の再生ボタン１７を操作すると、この操作を検出したＣＰＵ１０は外出モードの設定を解除し、画像記憶領域１５に（予め）保存されていた画像データおよびその画像データの録画日時を読み出してモニタ１８に表示することにより、帰宅時の居住者は、外出時等にカメラ付玄関子機１にて呼出操作を行った来訪者の画像を録画日時ととともに確認することができる。
【００３３】
次に、外出等で住戸内を不在としている居住者が携帯端末８を操作して画像再生要求を行うと、携帯端末８からの画像再生要求データがインターネット３を介してセンターサーバ７へと転送される。
【００３４】
また、センターサーバ７は、携帯端末８から転送されてきた画像再生要求データを検出すると、（予め）保存されていた画像情報圧縮データを読み出してインターネット３を介して携帯端末８へと転送する。
【００３５】
さらに、携帯端末８は、センターサーバ７から転送されてきた画像情報圧縮データを表示することにより、外出中の居住者は、カメラ付玄関子機１にて呼出操作を行った来訪者の画像を録画日時ととともに確認することができる。
【００３６】
【発明の効果】
以上の説明から明らかなように、本発明のテレビドアホン装置によれば、モニタ付親機の時計にて計時される時刻をＬＡＮまたはモデムからインターネット経由で接続されるＮＴＰサーバより取得して自動的に補正することができる。これにより、モニタ付親機の画像記憶領域にカメラ付玄関子機にて撮像された画像とともに保存される当該画像の録画日時は常に正確に保たれる。また、モニタ付親機の画像記憶領域に保存された画像およびその画像の録画日時は、ＬＡＮまたはモデムからインターネット経由でセンターサーバへと転送して保存することができ、センターサーバに保存された画像およびその画像の録画日時は、携帯端末からの画像再生要求に応じて、インターネットを介して当該携帯端末へと転送することができる。
【００３７】
また、本発明のテレビドアホン装置によれば、モニタ付親機とＬＡＮとが接続されている状態、モニタ付親機とＬＡＮまたはモデムからインターネット経由でセンターサーバとが接続されている状態、モニタ付親機とＬＡＮまたはモデムからインターネット経由でセンターサーバとが接続されている状態で通信エラーが発生している状態、モニタ付親機とＬＡＮまたはモデムからインターネット経由でセンターサーバとが接続されている状態で発生している通信エラーの理由をなすログ、モニタ付親機とＬＡＮまたはモデムからインターネット経由でセンターサーバとが接続されている状態で通信中であることを、それぞれモニタ付親機の該当するＬＥＤ（接続ＬＥＤ、エラーＬＥＤ、転送ＬＥＤ）を点滅／点灯させて視覚的に報知してユーザーに通知することができる。
【００３８】
さらに、本発明のテレビドアホン装置によれば、モニタ付親機からインターネット経由でセンターサーバへと転送される画像およびその画像の録画日時を、圧縮率の低いデータを高速で転送可能なＬＡＮ、または低速であるために圧縮率の高いデータしか転送できないが、安定した通信が可能なモデムの異なるデータ伝送路を介して転送することができる。これにより、データ通信のために費やされるモデムの使用時間が短縮されるため回線使用料が抑えられる。
【図面の簡単な説明】
【図１】本発明の実施例によるテレビドアホン装置の構成を示すブロック図である。
【符号の説明】
１・・・・・カメラ付玄関子機
２・・・・・モニタ付親機
１３・・・・・モデム
１４・・・・・時計
１５・・・・・画像記憶領域
１７・・・・・再生ボタン
１８・・・・・モニタ
１９・・・・・接続ＬＥＤ
２０・・・・・エラーＬＥＤ
２１・・・・・ログ記憶領域
２２・・・・・転送ＬＥＤ
３・・・・・インターネット
４・・・・・ＬＡＮ
６・・・・・ＮＴＰサーバ
７・・・・・センターサーバ
８・・・・・携帯端末
【図１】
2004260390.tif 000003